(57)【要約】【課題】固定ねじの装着、取り外しが容易で、しかも、ねじ締結部のゆるみ止めに寄与し得るインプラントの固定ねじのゆるみ止め部材を提供する。【解決手段】上部構造体の取付け穴に挿入可能で、取付け穴の穴底に露出するねじ頭部を覆うカバーと、カバーのねじ頭部側の面に設けられねじ頭部の工具係合部の形状に倣った係合凸部と、取付け穴の開口側に向かって延びるつまみ部とを備え、固定時には、カバーに設けられた係合凸部をねじ頭部の工具係合部に係合させ、カバー及びつまみ部と取付け穴内周面間に充填される封止材によって、固定ねじのゆるみ止めを図る。【選択図】図１
2012090676.tif 000002
【特許請求の範囲】
【請求項１】
上部構造体に設けられた取付け穴内にねじ部品を挿入し、取付け穴の穴底からねじ部品をインプラント本体のねじ穴にねじ込んで締め付け固定され、固定後に取付け穴が封止材で封止される構成のインプラントに使用される固定ねじのゆるみ止め部材であって、
前記取付け穴に挿入可能で、前記取付け穴の穴底に露出するねじ頭部を覆うカバーと、該カバーのねじ頭部側の面に設けられねじ頭部の工具係合部の形状に倣った係合凸部と、取付け穴の開口側に向かって延びるつまみ部とを備え、
固定時には、前記カバーに設けられた係合凸部をねじ頭部の工具係合部に係合させ、前記カバー及びつまみ部と取付け穴内周面間に充填される封止材によって、前記固定ねじのゆるみ止めを図ることを特徴とするインプラントの固定ねじのゆるみ止め部材。
【請求項２】
カバーがねじ頭部係合した状態で、つまみ部の軸端が取付け穴の開口部から突出する長さに設定されており、装着状態では、突出部が切断されて封止材と共に歯冠表面と滑らかに連続する連続面となるように研磨されて使用される請求項１に記載のインプラントの固定ねじのゆるみ止め部材。
【発明の詳細な説明】
【技術分野】
【０００１】
本発明は、インプラントの上部構造体に設けられたねじ部品の取付け穴に挿入され、取付け穴の穴底に露出するねじ部品のねじ頭部に係合してねじ部品のゆるみ止めを図るゆるみ止め部材に関する。
【背景技術】
【０００２】
従来のこの種のインプラントとしては、たとえば、特許文献１に記載のようなものが知られている。
【０００３】
すなわち、顎骨に埋め込まれるインプラント本体に対する上部構造体の固定が、上部構造体に設けられた取付け穴内にねじ部品を挿入し、取付け穴の穴底からねじ部品をインプラント本体のねじ穴にねじ込んで締め付け固定するようになっている。固定した後、取付け穴に樹脂材（レジン）もしくはゴム材等の封止材を充填して取付け穴を封止している。
【０００４】
しかし、取付け穴に充填される封止材は、取付け穴の穴底のねじ頭部の六角穴やマイナス溝等の工具係合部にも入り込んでしまうので、上部構造体を交換したり、固定ねじがゆるんだ際の増締めをするためには、六角穴等に詰まった封止材を削り出す必要がある。
【０００５】
そこで、従来から取付け穴に綿等を詰めてねじ頭部の工具係合部を保護することがなされているが、綿繊維では取出しにくいので、特許文献１では、金属製の微細な繊維を取付け穴に適合するように束状に編みこんだ部材を用い、ねじ頭部に封止材が入り込まないようにしていた。
【０００６】
しかし、金属製繊維束を用いたとしても、繊維の直径が２０μ〜３０μと極めて細く、繊維が切れて飛散しやすく、また、狭い取付け穴から取出しにくいという問題がある。
【０００７】
また、この種のねじ締結では、咬合圧が繰り返し作用するために、ねじの緩みが生じる場合があり、ゆるみ止めの対策が要請されている。
【０００８】
現在、インプラント治療においてインプラント本体毀損の最大の原因は「緩んで咬んでしまう事」である。緩まなくするように溶接・接着すれば毀損の問題は解消するが、取り外しが出来ることは修理・清掃のため必須である。
【０００９】
すなわち、数十万回咬合する中で、緩まない事は必須であり、しかも、装着も簡易で取り外しも容易であることが要請されている。
【先行技術文献】
【特許文献】
【００１０】
【特許文献１】特開２００９−００８１９３号公報
【発明の概要】
【発明が解決しようとする課題】
【００１１】
本発明の目的は、固定ねじへの装着、取り外しが容易で、しかも、ねじ締結部のゆるみ止めに寄与し得るインプラントの固定ねじのゆるみ止め部材を提供することにある。
【課題を解決するための手段】
【００１２】
上記目的を達成するために、本発明は、上部構造体に設けられた取付け穴内にねじ部品
を挿入し、取付け穴の穴底からねじ部品をインプラント本体のねじ穴にねじ込んで締め付け固定され、固定後に取付け穴が封止材で封止される構成のインプラントに使用される固定ねじのゆるみ止め部材であって、
前記取付け穴に挿入可能で、前記取付け穴の穴底に露出するねじ頭部を覆うカバーと、該カバーのねじ頭部側の面に設けられねじ頭部の工具係合部の形状に倣った係合凸部と、取付け穴の開口側に向かって延びるつまみ部とを備え、
固定時には、前記カバーに設けられた係合凸部をねじ頭部の工具係合部に係合させ、前記カバー及びつまみ部と取付け穴内周面間に充填される封止材によって、前記固定ねじのゆるみ止めを図ることを特徴とする。
【発明の効果】
【００１３】
本発明によれば、固定ねじへの装着、取り外しが容易で、しかも、ねじ締結部のゆるみ止めを図ることができる。
【図面の簡単な説明】
【００１４】
【図１】図１は本発明の一実施例に係るインプラントの固定ねじのゆるみ止め部材を示すもので、（Ａ）はインプンラントに装着状態の概略断面図、（Ｂ）はゆるみ止め部材の斜視図、（Ｃ）は（Ｂ）の正面図、（Ｄ）は（Ｃ）の平面図、（Ｅ）は（Ｃ）の底面図、（Ｆ）乃至（Ｈ）はつまみ部表面に溝を形成した形態を示す図、（Ｉ）乃至（Ｎ）はつまみ部の各種断面形状例を示す図、（Ｏ）及び（Ｐ）はつまみ部を板状とした形態の図、（Ｑ）はつまみ部の他の形態例を示す図である。
【図２】図２（Ａ）乃至（Ｅ）はゆるみ止め部材の装着手順を示す概略説明図である。
【図３】図３（Ａ）乃至（Ｄ）はゆるみ止め部材の除去手順を示す概略説明図である。
【発明を実施するための形態】
【００１５】
図１乃至図２は、本発明の実施の形態に係るインプラントの固定ねじのゆるみ止め部材を示している。
すなわち、このゆるみ止め部材１は、上部構造体１０１に設けられた円筒状の取付け穴１０２に固定ねじ１１０を挿入し、取付け穴１０２の穴底から、ねじ挿通孔を通じて固定ねじ１１０をインプラント本体１０４のねじ穴にねじ込み、固定後に取付け穴１０２が樹脂材（レジン）やゴム材等の封止材１２０で封止される構成のインプラントに使用されるものである。封止材１２０としては、紫外線硬化性樹脂等、種々の材料を利用可能である。
【００１６】
ゆるみ止め部材１の構成は、取付け穴１０２に挿入・離脱可能で、取付け穴１０２の内部に露出するねじ頭部１１１を覆うカバー１０を有し、カバー１０には、固定ねじ１１０を回転させるための工具の先端部が係合する工具係合部としての工具係合穴１１２に係脱可能な工具先端部に対応する形状の係合凸部２０と、取付け穴１０２の開口側に向かって延びるつまみ部３０とを備えている。
この工具係合穴１１２は、図示例では六角穴となっているが、六角穴に限定されるものではなく、四角穴等の多角形穴形状、また、マイナス溝や、プラス溝等の溝形状等、固定ねじにトルクを加えることが可能な種々の形状を採用することができる。
【００１７】
ゆるみ止め部材１の材料としては、生体親和性のよい金属材、たとえばチタン等を用いることができる。もっとも、金属に限定されるものではなく、プラスチックス、セラミックス等、歯科材料として用いられる各種材料を利用可能である。
カバー１０の形状は、円板形状で、この例では、作業性を考慮して取付け穴１０２より僅かに小径で、隙間は封止材１２０が浸入しない程度とされる。
【００１８】
つまみ部３０は丸軸で、取付け穴１０２の深さよりも長く、カバー１０がねじ頭部１１１係合した状態で、つまみ部３０の軸端が取付け穴１０２の開口部から突出するようになっており、装着時には、突出部分が切断される。
そして、固定時には、カバー１０に設けられた係合凸部２０をねじ頭部１１１に係合させて一体回転可能とし、前記カバー本体１０及びつまみ部３０と取付け穴１０２内周面間に充填される封止材１２０によって、固定ねじ１１０のゆるみ止めが図れている。
【００１９】
図示例では、つまみ部３０は丸軸で、基本的に六角形状の係合凸部の中心軸と同軸的に構成されているので、つまみ部３０が固定ねじ１１０の回転軸と同軸的に配置されることになるので、固定ねじ１１０がゆるむ方向の回転変位に対しては、封止材１２０とつまみ部３０表面との間の摩擦力及び接着力による。
【００２０】
つまみ部３０の表面には、図１（Ｆ）〜（Ｈ）に示すように、回転を規制するように、環状溝３０ａや、つまみ部３０の軸方向に延びる縦溝３０ｂや、螺旋溝３０ｃなどを設け、封止材１２０が係合していることが望ましい。このようなつまみ部３０表面の性状は、装着時にハンドピース工具によって削り出すようにしてもよい。
【００２１】
つまみ部３０の変形例
つまみ部３０の断面形状は円形に限らず、一部に溝のある円形断面のつまみ部３０Ｉ（図１（Ｉ）参照）、あるいは一部に凸部のある円形断面のつまみ部３０Ｊ（図１（Ｊ）参照）、楕円形状等の非円形断面のつまみ部３０Ｋ（図１（Ｋ）参照）、四角形断面のつまみ部３０Ｌ（図１（Ｌ）参照）、六角形断面のつまみ部３０Ｌ（図１（Ｍ）参照）等の多角形状、十字形状等の放射形状のつまみ部３０Ｎ（等の図１（Ｎ）参照）としてもよい。
このように非円形断面とすることにより、回り止め効果を高くすることができる。
【００２２】
より回り止め効果を高めるために、図１（Ｏ）および（Ｐ）に示すように板形状としてもよい。板形状の場合、典型的には一枚の平板構造のつまみ部３０（Ｏ）（図１（Ｏ）参照）、複数枚の板状部が放射状に配置された放射板構造のつまみ部３０Ｐの形態とするすることができる（図１（Ｐ）参照）。
さらに、直線状の軸や板状とするだけでなく、図１（Ｑ）に示すように、ジグザグ形状のつまみ部３０Ｑとしてもよい。このようにジグザグ形状とすることにより、つまみ部３０Ｑが封止材１２０とよく絡み合い、回り止め効果を高くすることができる。
【００２３】
なお、つまみ部３０が丸軸であっても、中心軸を、係合凸部の中心軸とオフセットさせておけば、封止材１２０によってつまみ部３０の回転が規制され、固定ねじの回り止めを図ることができる。さらに、つまみ部３０が丸軸であっても、カバー１０に凸部や凹部を設けることによっても、回り止め効果を高めることができる。
【００２４】
作業手順
次に作業手順について説明する。
図２は、ゆるみ止め部材の装着手順である。
歯冠がかぶせられた上部構造体１０１の取付け穴１０２に固定ねじ１１０を挿入し、取付け穴１０２の穴底から顎骨に埋設されたインプラント本体１０４に固定ねじ１１０をねじ込んで固定する（図２（Ａ）参照）。
【００２５】
次に、図２（Ｂ）に示すように、取付け穴１０２内に、本発明のゆるみ止め部材１を挿入する。挿入は、つまみ部３０を手指やピンセット等でつまんで挿入し、穴底のねじ頭部１１１に突き当てる。突き当てた後、回転させて六角穴１１２を探る。係合凸部２０が六角穴１１２に嵌り込むと、ゆるみ止め部材１は一段奥に入り込んで回転しなくなるので、
作業者は六角穴１１２に係合したことが分かる。次に、つまみ部３０と取付け穴１０２の間の隙間に、熱により溶融した封止材１２０を充填する。封止材１２０としては、紫外線硬化樹脂が用いられ、紫外線を照射することにより硬化させる（図２（Ｃ）参照）。
このつまみ部３０の表面に、工具によって、適宜、縦溝、環状溝、螺旋溝等を形成することが可能である。また、取付け穴内周にも溝等を加工すれば、回り止め効果をより高めることが可能である。さらに、封止材１２０の抜け止めを図るために、取付け穴内周にオーバーハング部を加工するようにしてもよい。
つまみ部３０は取付け穴１０２より外部に突出しており、この突出部３０Ｙを工具で切断し（図２（Ｄ）参照）、封止材１２０と共に歯冠表面と滑らかに連続する連続面となるように研磨する。
【００２６】
このようにすれば、カバー１０及びつまみ部３０の表面と取付け穴１０２の内周面に間の空間に充填された封止材１２０を介して、固定ねじ１１０の回転が規制され、固定ねじ１１０のゆるみ止めを図ることができる。
【００２７】
仮に、固定ねじ１１０がゆるんだ場合、本実施の形態ではつまみ部３０の先端が歯冠の表面と連続面に研磨しているので、外部からゆるんだかどうかを客観的に判断する指標とすることが可能となる。また、このような段差は、患者本人がすぐに違和感を感じ、感覚的に気付きやすく、「かめなくなる」ため医院に来院するので、修理がすぐに可能であるという利点がある。
【００２８】
図３は、固定ねじ１１０が緩んだ場合の増締め、あるいは歯冠を交換する場合の固定ねじ１１０の取り外し手順を示している。
まず、図３（Ａ）に示すように、取り付け穴１０２に充填された封止材１２０を、ハンドピース工具によって削り出し、つまみ部３０を露出させる（図３（Ａ）、（Ｂ）参照）。この露出したつまみ部３０をつまんで、ゆるみ止め部材１を取付け穴１０２から取出し、固定ねじ１１０のねじ頭部１１１を露出させる（図３（Ｃ）参照）。削り出す部分は、封止材１２０を取り付け穴１０２内周面から離間させればよく、つまみ部３０に封止材が付着していてもよい。
【００２９】
ゆるみ止め部材１を取出した後、固定ねじを工具を用いて増す締め、あるいは取り外す。固定ねじ１１０のねじ頭部１１１はゆるみ止め部材１によって覆われ、露出した六角穴１１２には封止材１２０が入り込んでいないので、固定ねじ１１０の増締め、あるいは取り外しを簡単に行うことができる。
【００３０】
なお、上記実施の形態では、つまみ部３０の長さを、カバー１０がねじ頭部１１１に当接した状態で取り付け穴１０２から突出するように長く設定しているが、取付け穴１０２の開口端より突出せず、所定長さ短くてもよい。
また、固定ねじ１１０のねじ頭部１１１の長さを長くしておけば、取付け穴１０２の咬合面からのねじ頭部１１１までの長さが短くなるので、ゆるみ止め部材１の長さを短くでき、また樹脂材等の封止材の充填量も少なく、作業も容易となる。
【符号の説明】
【００３１】
１    ゆるみ止め部材
１０    カバー
２０    係合凸部
３０    つまみ部
３０Ｙ  突出部
３０ａ  環状溝、３０ｂ  縦溝、３０ｃ  螺旋溝
１０１  上部構造体、１０２  取付け穴、１０４  インプラント本体
１１０  固定ねじ、１１１  ねじ頭部、１１２  六角穴
１２０  封止材
【図１】
2012090676.tif 000003
【図２】
2012090676.tif 000004
【図３】
2012090676.tif 000005
【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
上部構造体に設けられた取付け穴内にねじ部品を挿入し、取付け穴の穴底からねじ部品をインプラント本体のねじ穴にねじ込んで締め付け固定され、固定後に取付け穴が封止材で封止される構成のインプラントに使用される固定ねじのゆるみ止め部材であって、
前記取付け穴に挿入可能で、前記取付け穴の穴底に露出するねじ頭部を覆うカバーと、
該カバーのねじ頭部側の面に設けられねじ頭部の工具係合部の形状に倣った係合凸部と、
取付け穴の開口側に向かって延びるつまみ部と、を備え、
固定時には、前記カバーに設けられた係合凸部をねじ頭部の工具係合部に係合させ、前記カバー及びつまみ部と取付け穴内周面間に充填される封止材によって、前記固定ねじのゆるみ止めを図るもので、
前記カバーがねじ頭部に係合した状態で、つまみ部の軸端が取付け穴の開口部から突出する長さに設定されており、装着状態では、突出部が切断されて封止材と共に歯冠表面と滑らかに連続する連続面となるように研磨されて使用されることを特徴とするインプラントの固定ねじのゆるみ止め部材。
【手続補正２】
【補正対象書類名】明細書
【補正対象項目名】００１０
【補正方法】変更
【補正の内容】
【００１０】
【特許文献１】特開２００４−０３３６７４号公報
【手続補正３】
【補正対象書類名】明細書
【補正対象項目名】００１２
【補正方法】変更
【補正の内容】
【００１２】
上記目的を達成するために、本発明は、上部構造体に設けられた取付け穴内にねじ部品を挿入し、取付け穴の穴底からねじ部品をインプラント本体のねじ穴にねじ込んで締め付け固定され、固定後に取付け穴が封止材で封止される構成のインプラントに使用される固定ねじのゆるみ止め部材であって、
前記取付け穴に挿入可能で、前記取付け穴の穴底に露出するねじ頭部を覆うカバーと、該カバーのねじ頭部側の面に設けられねじ頭部の工具係合部の形状に倣った係合凸部と、取付け穴の開口側に向かって延びるつまみ部とを備え、
固定時には、前記カバーに設けられた係合凸部をねじ頭部の工具係合部に係合させ、前記カバー及びつまみ部と取付け穴内周面間に充填される封止材によって、前記固定ねじのゆるみ止めを図ゆるみ止めを図るもので、
前記カバーがねじ頭部に係合した状態で、つまみ部の軸端が取付け穴の開口部から突出する長さに設定されており、装着状態では、突出部が切断されて封止材と共に歯冠表面と滑らかに連続する連続面となるように研磨されて使用されることを特徴とする。
【手続補正４】
【補正対象書類名】明細書
【補正対象項目名】００１８
【補正方法】変更
【補正の内容】
【００１８】
つまみ部３０は丸軸で、取付け穴１０２の深さよりも長く、カバー１０がねじ頭部１１１に係合した状態で、つまみ部３０の軸端が取付け穴１０２の開口部から突出するようになっており、装着時には、突出部分が切断される。
そして、固定時には、カバー１０に設けられた係合凸部２０をねじ頭部１１１に係合させて一体回転可能とし、前記カバー本体１０及びつまみ部３０と取付け穴１０２内周面間に充填される封止材１２０によって、固定ねじ１１０のゆるみ止めが図れている。
【手続補正５】
【補正対象書類名】明細書
【補正対象項目名】００２２
【補正方法】変更
【補正の内容】
【００２２】
より回り止め効果を高めるために、図１（Ｏ）および（Ｐ）に示すように板形状としてもよい。板形状の場合、典型的には一枚の平板構造のつまみ部３０（Ｏ）（図１（Ｏ）参照）、複数枚の板状部が放射状に配置された放射板構造のつまみ部３０Ｐの形態とすることができる（図１（Ｐ）参照）。
さらに、直線状の軸や板状とするだけでなく、図１（Ｑ）に示すように、ジグザグ形状のつまみ部３０Ｑとしてもよい。このようにジグザグ形状とすることにより、つまみ部３０Ｑが封止材１２０とよく絡み合い、回り止め効果を高くすることができる。
【手続補正６】
【補正対象書類名】明細書
【補正対象項目名】００３０
【補正方法】変更
【補正の内容】
【００３０】
なお、固定ねじ１１０のねじ頭部１１１の長さを長くしておけば、取付け穴１０２の咬
合面からのねじ頭部１１１までの長さが短くなるので、ゆるみ止め部材１の長さを短くでき、また樹脂材等の封止材の充填量も少なく、作業も容易となる。
【手続補正７】
【補正対象書類名】図面
【補正対象項目名】図１
【補正方法】変更
【補正の内容】
【図１】
2012090676.tif 000006